(57)【要約】【課題】コネクタおよびリード線の固定がし易く、リード線を貫通させ易い、液晶表示装置を提供する。【解決手段】液晶パネル２と、前記液晶パネル２の背面側に配置された導光板４と、前記導光板４の側面に対向して配置されたランプセット６ａと、前記液晶パネル２及び前記導光板４の各縁部を支持する枠体８と、前記各部品を覆い、額縁状に形成された外枠９とを備え、前記外枠９の背面部には背面方向に向けて開放された凹部が形成され、前記ランプセット６ａを構成するコネクタ５２ｃは前記凹部内に挿入され、固定される構成とした。【選択図】図２
2007033981.tif 000002
【特許請求の範囲】
【請求項１】
液晶パネルと、前記液晶パネルの背面側に配置された導光板と、前記導光板の側面に対向して配置されたランプセットと、前記液晶パネル及び前記導光板の各縁部を支持する枠体と、前記各部品を覆い、額縁状に形成された外枠とを備え、前記外枠の背面部には背面方向に向けて開放された凹部が形成され、前記ランプセットを構成するコネクタは、前記凹部内に挿入され、固定される構成とした事を特徴とする液晶表示装置。
【請求項２】
液晶パネルと、前記液晶パネルの背面側に配置された導光板と、前記導光板の一側面に対向して配置された第１ランプセットと、前記導光板の他側面に対向して配置された第２ランプセットと、前記液晶パネル及び前記導光板の各縁部を支持する枠体と、前記各部品を覆い、額縁状に形成された外枠とを備え、前記外枠の背面部には背面方向に向けて開放された第１凹部が形成され、前記第１ランプセットを構成する第１コネクタと、前記第２ランプセットを構成する第２コネクタは当接しつつ、共に、前記第１凹部内に挿入され、固定される構成とした事を特徴とする液晶表示装置。
【請求項３】
前記外枠の一背面部および一側面部には、つながって形成された第１切欠き部が設けられ前記外枠の他の背面部および他の側面部には、つながって形成された第２切欠き部が設けられ、前記第１ランプセットを構成する第１リード線は前記第１切欠き部を貫通し、前記第２ランプセットを構成する第２リード線は前記第２切欠き部を貫通する事を特徴とする請求項２の液晶表示装置。
【請求項４】
前記液晶パネルと前記導光板との間に、液晶シャッタが配置され、前記導光板及び前記外枠には各々、略中央に開口部が形成された事を特徴とする請求項１または請求項２の液晶表示装置。
【請求項５】
第３リード線を介して前記液晶シャッタに接続された第３コネクタを設け、前記外枠の背面部には、背面方向に向けて開放された第２凹部が形成され、前記第３コネクタは、前記第２凹部内に挿入され、固定される構成とした事を特徴とする請求項４の液晶表示装置。
【請求項６】
前記外枠の背面部および側面部には、つながって形成された第３切欠き部が設けられ、前記第３リード線は前記第３切欠き部を貫通する様に構成とした事を特徴とする請求項５の液晶表示装置。
【発明の詳細な説明】
【技術分野】
【０００１】
本発明は、液晶表示装置に関する。
【背景技術】
【０００２】
従来、液晶表示装置を用いた回動式遊技機の一例を図１２及び図１３を用いて説明する（下記の特許文献１を参照）。なお、図１２は従来の回動式遊技機１００の外観斜視図であり、図１３は回転表示体１０２、液晶パネル１１６及び液晶シャッタ１１２の配置関係を示す縦断面図である。この回動式遊技機１００は、その筐体１０１の前面のほぼ中央上部に、筐体１０１内に配設した３個の回転表示体１０２ａ〜１０２ｃの表面が臨む３個の表示窓１０３ａ〜１０３ｃが横並びに設けられている。
【０００３】
この回動式遊技機１００の遊技結果表示部は、３個の回転表示体１０２ａ〜１０２ｃからなる第１表示手段と、第１表示手段の前面側に配置された液晶パネル１１６からなる第２表示手段と、前記第１表示手段と第２表示手段との間に配置された液晶シャッタ１１２からなる第３表示手段とを有する。第２表示手段は透過表示部（図示しない）を有し、第１表示手段の表示を透過させて表示可能にし、第３表示手段は第１表示手段の表示を遮蔽するか又は透過させる３個の表示遮蔽部１１３ａ〜１１３ｃを有する。
【０００４】
また遊技機１００は、表示遮蔽部１１３ａ〜１１３ｃにより、第１表示手段の表示を遮蔽する状態と、第１表示手段の表示を透過する状態とのいずれかに変換制御する変換制御手段を有している。
【０００５】
このうち、回転表示体１０２ａ〜１０２ｃの内部には回転表示体を照明するための３個のバックライト１１７ａ〜１１７ｃが配設されており、回転表示体１０２ａ〜１０２ｃの前面側には、液晶パネル１１６及び液晶シャッタ１１２を背面側から照明するとともに、回転表示体を表面側から照明するための前方照明装置１１８ａ、１１８ｂが配置されている。
【特許文献１】特開２００４−２８３５４８号公報
【発明の開示】
【発明が解決しようとする課題】
【０００６】
本発明者は、図１３を参照して、遊戯機１００用の液晶表示装置を製造した。即ち、液晶パネル１１６および液晶シャッタ１１２を覆う外枠を設けた。外枠は、右側に開口部を有し、額縁状に形成されている。液晶パネル１１６と、液晶シャッタ１１２と、導光板を配置し、導光板と外枠の中央部に各々、開口部を形成した。
【０００７】
そして、導光板を照光するランプセットを配置した。液晶パネル１１６等に信号や電圧を供給する主コネクタとは別に、ランプセットを構成する第１リード線および第１コネクタを設けた。また、液晶シャッタ１１２に対し、第２リード線を介して第２コネクタを設けた。これは、この液晶表示装置の納入先である製造者が、液晶シャッタおよびランプセットに対し、所定の部品を接続したり、または、所定の電圧を供給したいからである。
【０００８】
しかし、この液晶表示装置の製造者は、上記第１リード線や第２リード線が長いので梱包する前に、これらの配線の固定に作業時間がかかる、第１の欠点がある。更に、外枠の背面部に形成された孔に、第１リード線と第１コネクタと、第２リード線と第２コネクタを貫通させるのに、長い作業時間がかかる、第２の欠点がある。
【０００９】
そこで、本発明はこの様な従来の欠点を考慮し、コネクタおよびリード線の固定がし易く、リード線を貫通させ易い、液晶表示装置を提供する。
【課題を解決するための手段】
【００１０】
上記課題を解決するために、請求項１の本発明では、液晶パネルと、前記液晶パネルの背面側に配置された導光板と、前記導光板の側面に対向して配置されたランプセットと、前記液晶パネル及び前記導光板の各縁部を支持する枠体と、前記各部品を覆い、額縁状に形成された外枠とを備え、前記外枠の背面部には背面方向に向けて開放された凹部が形成され、前記ランプセットを構成するコネクタは、前記凹部内に挿入され、固定される構成とした。
【００１１】
請求項２の本発明では、液晶パネルと、前記液晶パネルの背面側に配置された導光板と、前記導光板の一側面に対向して配置された第１ランプセットと、前記導光板の他側面に対向して配置された第２ランプセットと、前記液晶パネル及び前記導光板の各縁部を支持する枠体と、前記各部品を覆い、額縁状に形成された外枠とを備え、前記外枠の背面部には背面方向に向けて開放された第１凹部が形成され、前記第１ランプセットを構成する第１コネクタと、前記第２ランプセットを構成する第２コネクタは当接しつつ、共に、前記第１凹部内に挿入され、固定される構成とした。
【００１２】
請求項３の本発明では、前記外枠の一背面部および一側面部には、つながって形成された第１切欠き部が設けられ前記外枠の他の背面部および他の側面部には、つながって形成された第２切欠き部が設けられ、前記第１ランプセットを構成する第１リード線は前記第１切欠き部を貫通し、前記第２ランプセットを構成する第２リード線は前記第２切欠き部を貫通する。
【００１３】
請求項４の本発明では、前記液晶パネルと前記導光板との間に、液晶シャッタが配置され、前記導光板及び前記外枠には各々、略中央に開口部が形成された。
【００１４】
請求項５の本発明では、第３リード線を介して前記液晶シャッタに接続された第３コネクタを設け、前記外枠の背面部には、背面方向に向けて開放された第２凹部が形成され、前記第３コネクタは、前記第２凹部内に挿入され、固定される構成とした。
【００１５】
請求項６の本発明では、前記外枠の背面部および側面部には、つながって形成された第３切欠き部が設けられ、前記第３リード線は前記第３切欠き部を貫通するように構成とした。
【発明の効果】
【００１６】
請求項１の構成により、ランプセットのコネクタは、外枠の背面部に設けられた凹部に挿入されるので、容易に固定される。コネクタが容易に固定されるので、コネクタに接続されるリード線を固定する作業時間は短くてすむ。
【００１７】
請求項２の構成により、第１コネクタおよび第２コネクタは当接しつつ共に、第１凹部内に挿入されるので、容易に固定される。これらのコネクタが容易に固定されるので、これらのコネクタに接続される各リード線を固定する作業時間は短くてすむ。
【００１８】
請求項３の構成により、第１リード線および第２リード線を、直線状に延ばした状態で、外枠を背面側から前面側へ移動させ、下の部材を覆うことができる。その結果、第１リード線および第２リード線を引っ掛けることなく、外枠を固定できるので、固定作業が早くかつ、リード線を貫通させ易い。
【００１９】
請求項４の構成により、液晶シャッタを閉じれば、液晶パネルの全画面が表示できる。また、液晶シャッタを開けば、この液晶表示装置の背面側（後方）にある表示体を見ることができる。
【００２０】
請求項５の構成により、第３リード線を介して、液晶シャッタに接続された第３コネクタは、外枠の背面部に設けられた第２凹部に挿入させるので、容易に固定される。第３コネクタが容易に固定されるので、第３コネクタに接続された第３リード線の固定時間も短くなる。
【００２１】
請求項６の構成により、第３リード線を直線状に延ばした状態でも、外枠を背面側から前面側へ移動させて、下の部材を覆うことができる。その結果、第３リード線を引っ掛けることなく、外枠を固定できるので、固定作業が早く、かつ、第３リード線を貫通させ易い。
【発明を実施するための最良の形態】
【００２２】
以下、本発明の具体例を実施例及び図面を用いて詳細に説明する。
【実施例】
【００２３】
本発明の実施例に係る液晶表示装置Ｘを図１〜図１１に示す。図１は本発明の実施例における液晶表示部Ｙと回路基板支持部Ｚの構成を示す背面斜視図、図２は図１の液晶表示部Ｙの主要構成部品を示す分解斜視図、図３は図１におけるＡ１−Ａ２断面図、図４は図１におけるＢ１−Ｂ２断面図、図５は、図１におけるＣ１−Ｃ２断面図である。
【００２４】
図６は液晶表示装置Ｘにおいて、第１コネクタと第２コネクタと第３コネクタが挿入される前の状態を示す斜視図である。図７は液晶表示装置Ｘにおいて、第１コネクタと第２コネクタと第３コネクタが挿入された後の状態を示す斜視図である。図８は図７のＥ１−Ｅ２断面図である。図９は液晶表示装置Ｘのブロック図である。図１０は図１におけるＤ１−Ｄ２断面図である。図１１は、図１における回路基板支持部Ｚのカバーを取り外した状態を示す斜視図である。
【００２５】
本発明に係る液晶表示装置Ｘは、図１の背面斜視図に示すように、液晶表示部Ｙと回路基板支持部Ｚとからなる。液晶表示部Ｙの外枠９の背面部１７と側面部１８の内部には、液晶パネル２に接続された回路基板２０と、回路基板２１が設けられている。回路基板支持部Ｚには、外枠９の背面部１７ａに垂直に配置された回路基板支持部Ｚが設けられている。回路基板支持部Ｚにおいて、回路基板２０および回路基板２１と電気的に接続された回路基板２２が設けられている。
【００２６】
まず、図１の液晶表示部Ｙの分解斜視図である図２を用いて、液晶表示部Ｙの主要構成部品について説明する。液晶表示部Ｙは、開口部１ａを有する前面枠１の背面側に向けて液晶パネル２が設けられている。液晶パネル２の背面側に順に位置する液晶シャッタ３と拡散シート３５（図２では、図示せず）と、導光板４と、反射シート５とを備えている。導光板４の端面４ａに対向して、光源である第１ランプセット６ａが配置されている。導光板４の端面４ｂに対向して、光源である第２ランプセット６ｂが配置されている。
【００２７】
導光板４及び反射シート５には、この反射シート５の上方（背面側）に配置された表示物（例えば絵柄など）（図示せず）が、液晶パネル２の前面側から見えるようにするために、略中央部に、各々、開口部１３，５ａが設けられている。
【００２８】
導光板４は、第１ランプセット６ａと、第２ランプセット６ｂとを導光板４の端面４ａ、４ｂに密接に対向させて、額縁状の枠体８内に載置されている。枠体８は、液晶パネル２と、液晶シャッタ３と、導光板４と、反射シート５の各縁部を支持している（図４参照）。
【００２９】
固定板７は、その中央部には導光板４及び反射シート５と同様の開口部１４が形成されている。固定板７の平坦部１１ｆは、導光板４の背面側（詳細には、反射シート５の背面側）に配置され、側面１１ａ，１１ｂは各々、第１ランプセット６ａと、第２ランプセット６ｂを支持している。
【００３０】
一端が、液晶パネル２の縁部に接続され、他端が回路基板２０に接続されたフレキシブル基板３６が設けられている。このフレキシブル基板３６は例えば、テープキャリヤパッケージ（ＴＣＰ）から構成される。また、テープキャリヤパッケージ（ＴＣＰ）は例えば、ＴＡＢ（Tape Automated Bonding）により、製造される。
【００３１】
同様に、一端が、液晶パネル２の縁部に接続され、他端が回路基板２１に接続されたフレキシブル基板３６ｄ（図５参照）が設けられている。
【００３２】
前面枠１は、前面側が開放され、略中央部に開口部１ａが形成され、箱状に形成されている。液晶パネル２の縁部および枠体８の底面は前面枠１の底部上に配置されている（図４、５参照）。図１０に示す様に、枠体８の側面１２ａにおいて、外側に向かって突出する突出部３７が形成されている。
【００３３】
前面枠１の側面において、孔３８が形成されている。この突出部３７が孔３８に係合される事により、前面枠１は枠体８に固定されている（図２と図４と図１０を参照）。
【００３４】
図４に示す様に、外枠９は、上記各部品２，３，３５，４，５，６ａ，６ｂ，７を覆い固定板７の背面側に配置され、額縁状に形成されている。外枠９の具体的な固定方法は、後述する。
【００３５】
外枠９は、中央に開口部１６を備え、その背面部１７ａ〜１７ｄから延びた側面部１８ａ〜１８ｄが垂直の壁面として形成されている。背面部１７ａから、外枠９の背面に垂直に配置固定された回路基板支持部Ｚが設けられている。
【００３６】
前面枠１と、拡散シート３５と、導光板４と、反射シート５と、固定板７と、外枠９には、略中央部に各々、開口部１ａ，３５ａ，１３，５ａ，１４，１６が形成されている。
【００３７】
外枠９の開口部１６の周辺には、背面側に延びる内側部１６ｂが形成されている。すなわち、外枠９の内側部１６ｂは、背面部１７ａにつながって、形成されている（図４を参照）。
【００３８】
同様に、外枠９の内側部１６ｃは、背面部１７ｃにつながって、形成されている（図５を参照）。外枠９の内側部１６ｄは、背面部１７ｂにつながって、形成されている（図２を参照）。外枠９の内側部１６ｅは、背面部１７ｄにつながって、形成されている（図２を参照）。
【００３９】
固定板７は、開口部１４の周辺に、パッキン３９が配置されている。パッキン３９の背面は、内側部１６ｂ，１６ｃ，１６ｄ，１６ｅの各底面が当接している。パッキン３９は例えば、発泡ウレタンや、天然ゴムや、シリコンゴムからなり、弾性力を有するものである（図４参照）。
【００４０】
図４、図５に示した様に、外枠９に形成された開口部１６に臨む背面部１７ａ〜１７ｄにシール材（図示せず）を介して、透明パネル２５が接着されている。
【００４１】
次に、図４と図５に示す様に、液晶パネル２と、液晶パネル２の背面側に順に位置する液晶シャッタ３及び導光板４と、導光板４の端面に対向して配置された第１ランプセット６ａとが設けられている。
【００４２】
液晶パネル２及び液晶シャッタ３及び導光板４の各縁部を支持する枠体８と、前記各部品を覆い、額縁状に形成された外枠９とが設けられている。導光板４及び外枠９には各々、略中央に開口部１３，１６が形成されている。
【００４３】
液晶シャッタ３は導光板４の開口部１３において、背面側に湾曲して配置されている。すなわち、液晶シャッタ３は従来と同じく、薄い第１基板及び第２基板（後述）が用いられている。液晶シャッタ３自身は、片側に反る（湾曲）ものであり、この液晶表示装置Ｘにおいては、液晶シャッタ３の湾曲側が、裏面側に配置されている。
【００４４】
次に、図２に示す様に、液晶シャッタ３は前面側から見て略長方形に形成され、長方形が有する１つの短辺の近傍と、液晶パネル２の縁部との間に、スペーサ４２が配置されている（図５参照）。
【００４５】
スペーサ４２，４３は例えば、発泡ウレタンや、天然ゴムや、シリコンゴムからなり、直方体状に形成されている。スペーサ４２の各片面には、接着剤が塗布されており、スペーサ４２は予め、液晶シャッタ３の前面側に接着されている。
【００４６】
液晶シャッタ３が形成された長方形が有する他の短辺近傍と、前面枠１との間に、スペーサ４３が配置されている（図８参照）。スペーサ４３の片面には、接着剤が塗布されており、スペーサ４３は予め、液晶シャッタ３の前面側に接着されている。
【００４７】
略中央に開口部３５ａが形成された拡散シート３５は、液晶シャッタ３の背面と、導光板４の前面との間に配置されている（図５参照）。
【００４８】
液晶シャッタ３は前面側から見て略長方形に形成されている。長方形が有する１対の長辺の近傍は、枠体８に形成された１対の長尺の段部１０，１０と、導光板４の前面との間に配置されている（図４参照）。
【００４９】
液晶シャッタ３は少なくとも、第１基板と、第１基板から所定距離だけ離れて位置する第２基板と、第１基板と第２基板とに挟まれた液晶とを有している。
【００５０】
次に、図９に従い、液晶表示装置Ｘの電気的構成を示す。ソースドライバ５０は、液晶パネル２を構成する複数の列電極を駆動するものである。ソースドライバ５０は、フレキシブル基板（テープキャリアパッケージ等）３６上に載置されている（図２参照）。
【００５１】
ゲートドライバ５１は、液晶パネル２を構成する複数の行電極を駆動するものである。ゲートドライバ５１は、フレキシブル基板（テープキャリアパッケージ等）３６ｄ上に載置されている（図５参照）
第１ランプセット６ａは、冷陰極管５２ａと、第１リード線５２ｂと、第１コネクタ５２ｃから構成されている。第１コネクタ５２ｃは第１リード線５２ｂを介して、冷陰極管５２ａに接続されている。
【００５２】
第２ランプセット６ｂは、冷陰極管５３ａと、第２リード線５３ｂと、第２コネクタ５３ｃから構成されている。第２コネクタ５３ｃは、第２リード線５３ｂを介して、冷陰極管５３ａに接続されている。第３コネクタ５４ａは、第３リード線５４ｂを介して、液晶シャッタ３に接続されている。
【００５３】
第４コネクタ５５は外部機器から、例えば画像データＲＧＢと、ドットイネーブル信号と、ドットクロック信号ＤＣＬＫと、電源電圧（例えば、直流電圧１２ボルト）が入力される。
【００５４】
タイミングコントローラ５６は、画像データＲＧＢと、ドットイネーブル信号と、ドットクロック信号ＤＣＬＫが入力され、信号処理するものである。
【００５５】
タイミングコントローラ５６は、ソースドライバ５０に対して、画像データＲＧＢや、スタートパルス信号等を出力する。タイミングコントローラ５６は、ゲートドライバ５１に対して、フレーム信号を出力する。
【００５６】
ＤＣ／ＤＣコンバータ５７は、直流電圧１２ボルトが入力されると、各種の直流電圧（例えば、３．３ボルト、５ボルト、１６ボルト等）を出力するものである。
【００５７】
ＤＣ／ＤＣコンバータ５７は、ソースドライバ５０およびゲートドライバ５１に対して各々、所定の直流電圧を供給する。以上の部品により、液晶表示装置Ｘの電気的構成はなされている。
【００５８】
次に、図４ないし図９に従い、液晶表示装置Ｘの第１特徴を、以下にまとめる。液晶パネル２と、液晶パネル２の背面側に配置された導光板４とを設ける。導光板４の側面に対向して配置されたランプセット（第１ランプセット６ａのこと）を設ける。液晶パネル２及び導光板４の各縁部を支持する枠体８を設ける。
【００５９】
前記各部品を覆い、額縁状に形成された外枠９を設ける。外枠９の背面部１７ｄには、背面方向に向けて開放された凹部（図示せず）が形成されている。ランプセット６ａを構成するコネクタ（第１コネクタ５２ｃのこと）は、前記凹部内に挿入され、固定される構成となっている。なお、前記凹部は、第１凹部５８の近傍に設けられ、第１凹部５８の幅の約半分に形成されたものである（図６参照）。
【００６０】
次に、図４ないし図９に従い、液晶表示装置Ｘの第２特徴を、以下にまとめる。液晶パネル２と、液晶パネル２の背面側に配置された導光板４と、導光板４の一側面に対向して配置された第１ランプセット６ａと、導光板４の他側面に対向して配置された第２ランプセット６ｂとを設ける（図２参照）。
【００６１】
液晶パネル２及び導光板４の各縁部を支持する枠体８と、前記各部品を覆い、額縁状に形成された外枠９とを設けた。外枠９の背面部１７ｄには背面方向に向けて開放された第１凹部５８が形成されている。
【００６２】
第１ランプセット６ａを構成する第１コネクタ５２ｃと、第２ランプセット６ｂを構成する第２コネクタ５３ｃは当接しつつ（即ち、互いの側面が接触しながら）共に、第１凹部内５８に挿入され、固定される構成となっている。
【００６３】
次に、図４ないし図９に従い、液晶表示装置Ｘの第３特徴を、以下にまとめる。外枠９の一背面部１７ｄおよび一側面部１８ｄには、つながって形成された第１切欠き部５９が形成されている。
【００６４】
外枠９の他の背面部１７ｄおよび他の側面部１８ｄには、つながって形成された第２切欠き部６０が形成されている。第１ランプセット６ａを構成する第１リード線５２ｂは第１切欠き部５９を貫通している。第２ランプセット６ｂを構成する第２リード線５３ｂは第２切欠き部６０を貫通する様に構成されている（図６と図７を参照）。
【００６５】
次に、図５に従い、液晶表示装置Ｘの第４特徴を、以下にまとめる。液晶パネル２と導光板４との間に、液晶シャッタ３が配置されている。導光板４及び外枠９には各々、略中央に開口部１３，１６が形成されている。
【００６６】
次に、図４ないし図９に従い、液晶表示装置Ｘの第５特徴を、以下にまとめる。第３リード線５４ｂを介して、液晶シャッタ３に接続された第３コネクタ５４ａが設けられている。
【００６７】
外枠９の背面部１７ｄには、背面方向に向けて開放された第２凹部６１が形成され、第３コネクタ５４ａは、第２凹部６１内に挿入され、固定される構成となっている（図６と図７を参照）。
【００６８】
次に、図４ないし図９に従い、液晶表示装置Ｘの第６特徴を、以下にまとめる。外枠９の背面部１７ｄおよび側面部１８ｄには、つながって形成された第３切欠き部６２が形成されている。第３リード線５４ｂは第３切欠き部６２を貫通する様に構成されている。
【００６９】
図１の実施例におけるＡ１−Ａ２の側断面図である図３において、液晶表示装置Ｘの液晶表示部Ｙは、液晶パネル２と，液晶表示部Ｙの背面側に置かれた、図示しない回転表示体等による表示物（例えば絵柄など）との間に液晶シャッタ３を有する。この液晶シャッタ３は高速スイッチングが可能であり、開いた時（印加電圧がオン状態の時）には透明になる。
【００７０】
液晶シャッタ３が透明になると、液晶表示部Ｙの背面側（上方）には、リフレクタ２３に取り付けた表示物（例えば絵柄など）投影光源２４が点灯している。その結果、液晶表示部Ｙの背面に配置した回転表示体等による表示物（例えば絵柄など）が外枠９の開口部１６を介して見えるようになる。この時、開口部１６部分を除く液晶パネル２の縁部の液晶表示は、液晶表示部Ｙの前面側から、遊技者に見えるようになる。
【００７１】
また、液晶シャッタ３は、閉じたとき（印加電圧がオフ状態の時）には乳白色となって導光板４の役目を果たす。このとき、表示物（例えば絵柄など）投影光源２４は点灯しているので、導光板４及び液晶シャッタ３は照光されている。その結果、遊技者は液晶パネル２の中央部及び縁部において所定の液晶表示を見ることができるようになる。
【００７２】
図４に示すように、枠体８に段部１０を形成し、液晶シャッタ３をその段部１０上に配置することにより、液晶パネル２と液晶シャッタ３との間に所定の間隙Ｇ、例えば０．４ｍｍの間隙が設けられる。その結果、液晶パネル２と液晶シャッタ３との間で、光の干渉を生じることがなくなり、液晶パネル２におけるモアレ現象の発生を防止することができるようになる。
【００７３】
また、図示するように、導光板４には、その開口部１３に臨む位置において、液晶パネル２に向かって広がりを有する傾斜面４ｃ、４ｄが形成されている。その結果、導光板４の垂直内端面がなくなるから、傾斜面４ｃ、４ｄがない場合に比較すると、前面の斜め前から見たときに開口部１３がぎらつくことが緩和され、遊技者の眼に対する刺激が傾斜面４ｃ、４ｄで和らげられて不快感が減少するので好ましい。
【００７４】
図１１は、本発明の実施例において、回路基板支持部Ｚのカバーを取り外した状態であり、液晶表示部Ｙの背面側から見た背面斜視図である。外枠９には、その背面部１７ａから側面部１８ａが垂直の壁面として形成されている。幅広の背面部１７ａと、それに連なる側面部１８ａで形成される角が、一部分除去されて孔９ａが設けられている。
【００７５】
この孔９ａを塞ぐように、孔９ａに沿って外枠９の背面に、箱型の回路基板支持板２６が背面部１７ａに垂直に配置され、ネジ２７で固定されて、回路基板支持部Ｚが形成されている。箱型の回路基板支持板２６は、その下部に設けた嵌合部２６ａを背面部１７ａに設けたスリット９ｂに側面から差し込むことによって位置決めされ、ネジ２７で固定される。
【００７６】
外枠９の内部に、背面部１７ａと側面部１８ａ並びに背面部１７ｃと側面部１８ｃの間にそれぞれ液晶パネル２に接続された回路基板２０と、回路基板２１は配置されている。回路基板２０と、回路基板２１からは、回路基板２２に接続されるフレキシブル配線基板２８、２９が孔９ａを通して引き出される。
【００７７】
外枠９の背面に垂直に配置した回路基板支持板２６に、回路基板２０と、回路基板２１を制御する、回路基板２２は取り付け、固定される。支持された回路基板２２に、回路基板２０と、回路基板２１から引き出されたフレキシブル配線基板２８、２９が接続される。なお、符号３０、３１は回路基板２２に搭載したコネクタである。また、符号３２は外部接続用のコネクタであり、その他の部品等は図示を省略している。
【００７８】
このように、外枠９の背面に対し、回路基板支持板２６を垂直に設け、回路基板支持板２６に、回路基板２２を取り付ける。その結果、回路基板２２は、外枠９の開口部１６の背面側に、はみだすことがない。その結果、遊技者は開口部１６の背面側に位置する回転表示体等による表示物（例えば絵柄など）の全体を、回路基板２２により邪魔されることなく、液晶パネル２の前面側から見ることができるようになる。
【００７９】
このような構成による液晶表示装置Ｘの動作は下記のとおりである。遊技者がコインを投入してゲームをスタートさせると、かかる液晶表示装置Ｘを有する遊技機は、液晶パネル２の背面側に、導光板４、固定板７、外枠９の各開口部１３、１４、１６と同じ位置に透光部分を残して開口部を形成し、開口部以外の面上に各種の装飾、ゲーム内容等の表示を行う。
【００８０】
それと同時に、遊技装置は回転表示体を、外枠９の背面側で回転させて、その表示物（例えば絵柄など）を液晶パネル２の開口部１ａから見えるようにする。遊技者は、回転表示体を高速回転させた状態で、開口部１ａ内の高速で移動する表示物（例えば絵柄など）を監視して目押しを行って、所定のゲームを楽しむことができる。
【図面の簡単な説明】
【００８１】
【図１】本発明の実施例における液晶表示部Ｙと回転基板支持部Ｚの構成を示す背面斜視図である。
【図２】図１の液晶表示部Ｙの主要構成部品を示す分解斜視図である。
【図３】図１における、Ａ１−Ａ２側断面図である。
【図４】図１における、Ｂ１−Ｂ２側断面図である。
【図５】図１におけるＣ１−Ｃ２断面図である。
【図６】液晶表示装置Ｘにおいて、各コネクタが挿入される前の状態を示す斜視図である。
【図７】液晶表示装置Ｘにおいて、各コネクタが挿入された後の状態を示す斜視図である。
【図８】図７における、Ｅ１−Ｅ２側断面図である。
【図９】液晶表示装置Ｘのブロック図である。
【図１０】図１における、Ｄ１−Ｄ２断面図である。
【図１１】図１における回路基板支持部Ｚのカバーを取り外した状態を示す斜視図である。
【図１２】従来の回動式遊技機の一例を示す外観斜視図である。
【図１３】従来の回動式遊技機における回転表示体、液晶パネル及び液晶シャッタの関係を示す模式的説明図である。
【符号の説明】
【００８２】
１  前面枠
２  液晶パネル
３  液晶シャッタ
４  導光板
６ａ  第１ランプセット
６ｂ  第２ランプセット
７  固定板
８  枠体
９  外枠
１３  開口部
１４  開口部
１６  開口部
１７ａ〜１７ｄ  背面部
１８ａ〜１８ｄ  側面部
【図１】
2007033981.tif 000003
【図２】
2007033981.tif 000004
【図３】
2007033981.tif 000005
【図４】
2007033981.tif 000006
【図５】
2007033981.tif 000007
【図６】
2007033981.tif 000008
【図７】
2007033981.tif 000009
【図８】
2007033981.tif 000010
【図９】
2007033981.tif 000011
【図１０】
2007033981.tif 000012
【図１１】
2007033981.tif 000013
【図１２】
2007033981.tif 000014
【図１３】
2007033981.tif 000015